(57)【特許請求の範囲】
【請求項１】
内側前壁，底壁，後壁，左右両側壁，後壁上縁に連続する蓋板，蓋板前縁に連続する外側前壁，蓋板の左右両側の側蓋板よりなるケースにおいて、左右の各側壁の上縁に、ケース内へ向けて折曲された折込みフラップが延設され、該フラップの、前記内側前壁側の側縁の少なくとも一部には、該内側前壁外面より外方へ向かって僅かに突出する突出片が形成されており、前記左右両側の側蓋板から延設されて前記外側前壁の内面に貼着されている蓋貼着片は、前記折込みフラップの突出片の突出位置に対応する位置に、外側前壁内面との間に凹陥段部を形成しており、蓋板が閉位置を占めた位置において、前記折込フラップの突出片が前記凹陥段部に係止される収納ケース。
【請求項２】
折込みフラップに、突出片形成部位を超えてケース内へ延出し、底壁に向かって撓曲された延出片が形成されている請求項１記載の収納ケース。
【請求項３】
折込みフラップの延出片に底壁へ向かって折曲させうる内折線が形成されており、該延出片が内折線部分で底壁に向かって折曲されている請求項１または請求項２記載の収納ケース。
【請求項４】
閉蓋時に外側前壁で掩蔽される内側前壁の外面に、接着力の弱い接着剤の塗布部が形成されている請求項１，請求項２または請求項３記載の収納ケース。
【発明の詳細な説明】
【０００１】
【発明の属する技術分野】
本発明は、蓋体の自己係止機能を有する厚紙製の収納ケースの改良に関する。
【０００２】
【従来の技術】
蓋体の自己係止機能を有する厚紙製の収納ケースとしては、実公昭５２ー３５２１９号公報，特開平２ー２９６６４１号公報あるいは実公平７ー３４８２２号公報等に示されるものが知られているが、いずれも自動製箱装置による工程の複雑化による生産効率の低下，必要紙量の相当量の増加等の共通する問題点を有するのみでなく、実公昭５２ー３５２１９号公報に示されるものは、外観が悪いのみでなく、ケース内への塵埃侵入の恐れがあり、他の２公報に示されるものは、収納された内容物の飛び出し防止機能が無い等の問題も有している。
【０００３】
【発明が解決しようとする課題】
前記従来の収納ケースの有する問題点に鑑み、本発明は、従来の左右両側壁にケース内へ折曲された折込みフラップを有する厚紙製収納ケースの自動製箱工程により、殆ど使用紙量の増大を伴わずに製造でき、しかも蓋体の自己係止機能と、内容物の飛び出し防止機能とを具備する収納ケースを提供することを課題としている。
【０００４】
【課題を解決するための手段】
前記課題を解決するため、請求項１の発明では、内側前壁，底壁，後壁，左右両側壁，後壁上縁に連続する蓋板，蓋板前縁に連続する外側前壁，蓋板の左右両側の側蓋板よりなるケースにおいて、左右の各側壁の上縁に、ケース内へ向けて折曲された折込みフラップを延設し、該フラップの内側前壁側の側縁の少なくとも一部に、内側前壁外面より外方へ向けて僅かに突出する突出片を形成した。
【０００５】
前記左右両側の側蓋板から延設され、前記外側前壁の内面に貼着されている貼着片により、前記折込みフラップの突出位置に対応する位置に、外側前壁内面との間に凹陥段部を形成した構成とし、蓋板を閉じたとき、前記折込みフラップの突出片がこの凹陥段部に係合し、蓋板が閉位置に係止される構成とした。
【０００６】
請求項２の発明では、折込みフラップに、突出片形成部位を超えてケース内へ延出し、底壁に向かって撓曲された延出片を形成したという構成を請求項１の発明に付加し、延出片がケース内へ傾斜して落ち込む現象を利用し、内容物の飛び出しを防止した。
【０００７】
請求項３の発明では、請求項２の発明における延出片にケースの底壁へ向かって折曲させうる内折線が形成し、延出片を積極的にケース内へ折曲し、内容物の飛び出し防止機能を向上させた。
【０００８】
請求項４の発明では、請求項１，請求項２または請求項３の各発明の内側前壁のうちの、外側前壁で掩蔽される表面に、接着力の弱い接着剤の塗布部を形成し、内容物がラップフィルム等であった場合に、引き出され、切り取られた後のラップフィルム等の残端辺が接着剤の塗布部に軽く貼着されるので、該残端辺がケース内へ入り込むのを防止できる。
【０００９】
【発明の実施の形態】
図１ないし図４は、請求項１および請求項４の各発明を、ラップフィルムケースに併せ適用した実施の一例を示しており、図２に示される収納ケース１は、図１に示されるブランク２から折り畳み，貼着によって成形されたもので、図１に示されるごとく、ブランク２は内側前壁３、底壁４、後壁５、蓋板６が一連に連続され、蓋板６の前縁７に外側前壁８が連続し、底壁４の左右に側壁９，１０が連続すると共に、内側前壁３と後壁５の左右から貼着片１１，１２，１３，１４が延設され、さらに蓋板６の左右に側蓋板１５，１６が連続させられ、側蓋板１５，１６から外側前壁８と同一方向に蓋貼着片１７，１８が延設され、また左右の側壁９，１０から外側に向け、折込みフラップ１９，２０が延設されており、この構造は従来の厚紙製の収納ケースの基本構造と概ね同一構造である。
【００１０】
請求項１の発明に係る収納ケース１を成形するため、前記ブランク２においては、折込みフラップ１９，２０の内側前壁３側の側縁に、図３，図４に示すごとく、内側前壁３の外面２１より外方へ向かって僅かに幅Ｗ１だけ突出する突出片２２が形成されている。図示例では、突出片２２の長さＬが折込みフラップ１９の幅と等しくされているが、折込みフラップ１９の幅が長い場合は、その一部に形成してもよい。
【００１１】
前記蓋貼着片１７，１８は、図１に示されるごとく、側蓋片１５，１６の幅に対し、外側前壁８側においてＷ２だけ狭く形成されており、図４に示されるごとく、外側前壁８の内面８Ａに貼着されたとき、該内面８Ａとの間に凹陥段部２３が形成される。
【００１２】
図示例の外側前壁８の下縁には、易破断線２４を介して係止片２５が連設されており、半円弧状スリット２６で囲まれた部分において、図２に示すごとく内容物収納後に内側前壁３の外面下方部に貼着される。前記易破断縁２４によって係止片２５を除去した後の、図４に示す外側前壁８の切断線２７は、予め紙料を硬化処理しておき、易破断線２４を鋸歯形状のミシン目としておくことにより、そのままでラップフィルム等の切断刃として利用することもある。図１において、内側前壁３に符号２８で示した部分は前記半円弧状スリット２６で囲まれた部分の貼着部位である。
【００１３】
左右の側壁９，１０には、ラップフィルム等を収納したとき、その心管内へ挿入し、ラップフィルム等の飛び出しを防止する突片２９を形成するスリット３０が形成されており、貼着片１１ないし１４には突片２９の収納ケース１内への折曲を許容するスリット３１、折曲線３２が形成されており、スリット３１は、また折曲された突出片２９をホールドする間隙部分をも形成する。
【００１４】
図１に示すブランク２は、内折線３３，３４，３５，３６，３７で、底壁４の前後に内側前壁３と後壁５とが直角に折り曲げられ、同時に左右の側壁９，１０も直角に折り曲げられ、その内面側に貼着片１１，１２，１３，１４が折曲されて側壁９，１０に貼着され、また内折線３８，３９，４０，４１，４２，４３で蓋板６と外側前壁８と側蓋板１５，１６とが直角に折曲され、側蓋板１５，１６の内側に蓋貼着片１７，１８が直角に折曲され貼着されて収納ケース１の素材たる箱体が形成される。
【００１５】
収納ケース１の素材たる箱体が形成されたのち図４に示すケース内部４４内にラップフィルム等の内容物を収納し、折込みフラップ１９，２０を内折線４５，４６で直角にケース内へ折曲したうえで、蓋板６を図４中矢印Ａで示すごとく、外側前壁８が内側前壁３の外面２１に重なるよう回動させ、その過程で内側前壁３の外面２１の符号２８で示す貼着部分にホットメルト接着剤を塗布すると同時に、図２に示されるごとく、閉蓋時に外側前壁８で掩蔽される内側前壁３の外面２１の上半部中央等の適所に、接着力の弱い接着剤が塗布された塗布部４７を形成し、蓋板６と外側前壁８と側蓋板１５，１６とを完全な閉蓋位置に導き、前記ホットメルト接着剤により、外側前壁８と内側前壁３とを接着することにより、内容物の収納された図２に示される収納ケース１が完成される。なお、接着力の弱い接着剤としては、感圧接着剤のほか、表面に弱い粘着性を有する物質であれば、如何なる材質のものでもよい。
【００１６】
図２に示される収納ケース１の完全閉蓋時において折込みフラップ１９の突出片２２は、外側前壁８の内面８Ａと蓋貼着片１７，１８との間の凹陥段部２３に係合し、蓋板６を係止する。
【００１７】
従って、係止片２５を易破断線２４に沿って剥し取ったのちにおいて、蓋板６と外側前壁８とを、図４中の矢印Ａと逆方向に回動させると、突出片２２は弾性変形して凹陥段部２３から容易に外れて開蓋できるし、逆に矢印Ａ方向に回動させ、閉蓋位置に導くと、突出片２２は凹陥段部２３に係合し、蓋板６と外側前壁８とを閉蓋位置に自己保持する。
【００１８】
図５および図６は、前記図１ないし図４に示した実施例に、請求項２および請求項３の発明を併せて適用した実施例を示しており、図１に示される折込みフラップ１９に相当する折込みフラップ４８に、突出片４９の形成部位を超えてケース内５０へ延出する延出片５１を形成し、その幅Ｗ３を、内側前壁３と後壁５との間隔Ｗ４と等しい長さとすると共に、該延出片５１に、底壁４方向へ向けて折曲させうる内折線５２を形成し、ラップフィルム等の内容物収納後に延出片５１を内折線５２から底壁４へ向けて折曲し、延出片５１の先端縁５３をケース内５０に収納されているラップフィルム等の内容物の上面に接触させることにより、開蓋時における内容物の不測の飛び出しを防止できるように構成されている。
【００１９】
請求項２の発明の場合には、内折線５２を欠くため、延出片５１がケース内５０への撓曲されていても厚紙の復元弾性により、長い使用期間中には、撓曲姿勢が失われ、内容物の飛び出し防止は、比較的長い折込みフラップによる飛び出し防止機能に依存することとなる。
【００２０】
【発明の効果】
請求項１の発明によると、折込みフラップに形成した突出片は、貼着片と折込みフラップとで囲まれ、切除されて無駄となっていた厚紙部分に形成されるし、凹陥段部を形成する蓋貼着片の幅狭部分は、該蓋貼着片と外側前壁との間の従来はスリットであった部分の小幅な切除で形成されるので、ブランク打ち抜き時の原紙の必要面積の増加を全く伴わず、打抜き工程，切片の除去工程，折畳み工程等の増加も全くなく、従来通りの生産効率，生産原価を維持できる効果を奏する。
【００２１】
収納ケース使用時における蓋板の係止が、外側前壁と内側前壁との間の左右両側壁寄り部分で行われるので、係止が確実であり、その係止構造が外側から視認されることがなく、外観を良好に保ちうる効果がある。
【００２２】
また突出片は、内側前壁の上端縁を乗り越えて外側前壁内面の凹陥段部に係合され、しかも該係合部が、左右両側壁寄り部分に形成されていることにより、開蓋時に引き出され、切断された後のラップフィルム等の残端辺部分の両側を、内側前壁の上端縁と突出片との間で挟持することも可能となり、該残端辺が、不測に、ケース内へ引き込まれるのを防止する効果も奏する。
【００２３】
さらに内外両側の前壁間の、左右両側壁寄り部分に突出片と凹陥段部との係合部分が形成されているので、外側前壁の中央部分に開蓋作用を加えると、外側前壁の外向き凸円弧状の弾性変形により、折込みフラップの突出片に凹陥段部側から作用する上向きの力が、折込みフラップの自由端側から作用し、該突出片を徐々に弾性変形させつつ係合の完全解放となるので、左右２箇所に突出片と凹陥段部との係合部が存しても、硬質の厚紙で収納ケースが成形されていても、常に非常に軽い力で開蓋，閉蓋できる効果を奏する。
【００２４】
請求項２の発明によると、折込みフラップの延出片がケース内へ長く伸び、しかも底壁に向かって撓曲しているので、収納ケース内の内容物の、開蓋時に不測の飛び出しを防止できる効果を、請求項１の発明に付加しうる。
【００２５】
請求項３の発明によると、折込みフラップの延出片が、内折線において底壁に向かって折曲されているので、開蓋時における内容物の不測の飛び出し防止機能が確実となる効果を奏する。
【００２６】
請求項４の発明によると、収納ケース内に収納される物品が、ラップフィルム等の場合に、必要量切除後の、該フィルムの残端辺が、収納ケースの内側前壁の外面に軽い接着力で保持されるので、内側前壁の左右両側における突出片と内側前壁上端縁とによる該残端辺の挟圧とあいまち、フィルム等の残端辺が、不測にケース内へ入り込むのを良好に防止できる効果があり、さらには、外側前壁の下端が、フィルム等の切断刃と概ね同一位相に在れば、フィルム等の残端辺が、常時内外両前壁間に保持され、外部雰囲気に曝されることがなく、衛生的となる効果もある。
【００２７】
また、接着力の弱い接着剤の塗布部は内側前壁に対するホットメルト接着剤の塗布工程と同時に行いうるので製箱工程の増加もなく、打ち抜き，折り畳み，貼着等の諸工程に対し、前記感圧接着剤の塗布部が、その粘着性により悪影響を与えることを皆無としうる効果も有する。
【図面の簡単な説明】
【図１】  実施の一例のブランクの展開平面図である。
【図２】  図１のブランクから成形された収納ケースの斜視図である。
【図３】  図２中Ｘ−Ｘ線断面の要部の切断端面の略示図である。
【図４】  図２に示す収納ケースの開蓋時における一端部の斜視図である。
【図５】  第２の実施例のブランクの半截展開平面図である。
【図６】  図１に示すブランクから成形された収納ケースの開蓋時における一端部の斜視図である。
【符号の説明】
１  収納ケース
３  内側前壁
４  底壁
５  後壁
６  蓋板
７  蓋板前縁
８  外側前壁
９，１０  左右の側壁
１５，１６  側蓋板
１７，１８  貼着片
１９，２０  折込みフラップ
２１  内側前壁の外面
２２  突出片部
２３  凹陥段部
４７  塗布部
５１  延出片
５２  内折線
【図１】
0003998072.tif 000002
【図２】
0003998072.tif 000003
【図３】
0003998072.tif 000004
【図４】
0003998072.tif 000005
【図５】
0003998072.tif 000006
【図６】
0003998072.tif 000007